(57)【要約】【課題】シールドシェルの装着構造の簡素化、ひいては製造コストの低減を図る。【解決手段】雌ハウジング１０には、雌端子を覆う筒形をなす雌側シェル２０が装着されている。雄ハウジング３０は、機器を収容した金属製のケース１に取り付けられるケース嵌合部３１と、雌ハウジング１０と嵌合されるハウジング嵌合部３２とを有するＬ字形をなし、ケース嵌合部３１からハウジング嵌合部３２に亘りＬ字形に曲成された雄端子４０が収容されている。雄ハウジング３０には、ハウジング嵌合部３２に装着される下面開放の第１シェル部５１と、ケース嵌合部３１の上面から側面を覆う下面開放の第２シェル部５２とを一体に形成した雄側シェル５０が装着されている。雄側シェル５０における第１シェル部５１が雌側シェル２０と接続されるとともに、第２シェル部５２がケース１に固定される。【選択図】図８
2012238547.tif 000002
【特許請求の範囲】
【請求項１】
互いに嵌合される雌雄のコネクタを備え、各コネクタには、雌端子または雄端子と、各端子金具の回りを覆ってシールドシェルが装着されたシールドコネクタにおいて、
前記両コネクタの嵌合に伴って対応する雌雄の端子金具同士が接続された接続部分の回りには、全周に亘って少なくとも一重の筒形部が形成された形態で前記両シールドシェル同士が接続されていることを特徴とするシールドコネクタ。
【請求項２】
前記両コネクタの嵌合に伴い前記両シールドシェルの対向端部同士が嵌合され、両シールドシェルの対向端部を合わせることにより前記少なくとも一重の筒形部が形成されていることを特徴とする請求項１記載のシールドコネクタ。
【請求項３】
前記雌側のコネクタが、雌ハウジング内にシールド層で覆われた電線の端末に接続された雌端子が収容されたハーネス側コネクタである一方、
前記雄側のコネクタが、機器を収容した金属製のケースに取り付けられるケース嵌合部と、相手の雌ハウジングと嵌合されるハウジング嵌合部とを有するＬ字形をなす雄ハウジングを有し、前記ケース嵌合部から前記ハウジング嵌合部に亘りＬ字形に曲成された雄端子が収容された機器側コネクタであり、
前記雌ハウジングには、前記雌端子を覆う筒形をなす雌側のシールドシェルが装着されて前記シールド層と接続されている一方、
前記雄ハウジングは、前記機器を収容した金属製のケースに取り付けられるケース嵌合部と、相手の雌ハウジングと嵌合されるハウジング嵌合部とを有するＬ字形をなし、前記ケース嵌合部から前記ハウジング嵌合部に亘りＬ字形に曲成された雄端子が収容されているとともに、
前記雄ハウジングには、前記ハウジング嵌合部に装着される少なくとも下面開放の第１シェル部と、前記ケース嵌合部の上面から側面を覆う下面開放の第２シェル部とを一体に形成してなる雄側のシールドシェルが装着され、
この雄側のシールドシェルにおける前記第１シェル部が前記雌側のシールドシェルと接続されるとともに、前記第２シェル部が前記ケースに固定されていることを特徴とする請求項１記載のシールドコネクタ。
【発明の詳細な説明】
【技術分野】
【０００１】
本発明は、シールドコネクタに関する。
【背景技術】
【０００２】
機器直結型のシールドコネクタの一例として、下記特許文献１に記載のものが知られている。このものは機器に取り付けられる機器側コネクタと、ワイヤハーネスの端末に接続されるハーネス側コネクタとを備えている。  
ハーネス側コネクタは、シールド電線の端末に接続された雌端子を収容した雌ハウジングを備え、同雌ハウジングに雌端子を覆うような筒形のシールドシェルが装着されてシールド電線と接続された構造である。  
機器側コネクタは、機器を収容した金属製のケースに取り付けられるケース嵌合部と、相手のハーネス側コネクタの雌ハウジングと嵌合されるハウジング嵌合部とを有するＬ字形をなす雄ハウジングを備え、ケース嵌合部からハウジング嵌合部に亘りＬ字形に曲成された雄端子が収容されている。また、雄ハウジングにおけるハウジング嵌合部には、筒形の第１シールドシェルが装着されているとともに、ケース嵌合部にはその上面から側面を覆う下面開放の第２シールドシェルが装着されて第１シールドシェルと接続されており、第２シールドシェルはケースの表面にねじ止めされて固定される。
【０００３】
そして、機器側コネクタに対してハーネス側コネクタを嵌合すると、対応する雌雄の端子金具同士が接続される一方、機器側コネクタのハウジング嵌合部の第１シールドシェルと、ハーネス側コネクタのシールドシェルとが嵌合接続されて、雌雄の端子金具の接続部の回りが二重の筒形のシールドシェルで覆われた形態となり、もってワイヤハーネスからケース内に至る導電路がシールドされるようになっている。
【先行技術文献】
【特許文献】
【０００４】
【特許文献１】特開２００６−１９６１９８号公報
【発明の概要】
【発明が解決しようとする課題】
【０００５】
ところで上記従来のシールドコネクタでは、特に機器側コネクタにおけるシールドシェルの装着構造が、２つのシールドシェルに分けて装着されている。その理由は以下のとおりである。  
まず、雄ハウジングのうち、相手の雌ハウジングと嵌合されるハウジング嵌合部に装着される第１シールドシェルを筒形としたのは、このようなハウジング同士の嵌合部分においては、両ハウジングに装着された筒形のシールドシェル同士を嵌合して二重の筒形とし、二重筒の四面の全てにおいて接点部を設けて接続することが、シールド機能を発揮させる上で有効であるとの認識に立ったものである。
【０００６】
一方、ケース嵌合部に装着する第２シールドシェルは、基本的には下面開放形状とならざるを得ず、このように下面開放形状のものと筒形のものとを一体化した場合には、雄ハウジングに対して一括して装着できない。そのため、第１と第２のシールドシェルを個別に形成し、かつ個別に装着する必要があり、そうすると部品点数並びに組付工数が増えることとなって、製造コストの増加に繋がるという問題があった。  
本発明は上記のような事情に基づいて完成されたものであって、その目的は、シールドシェルの装着構造の簡素化を図り、ひいては製造コストの低減を図るところにある。
【課題を解決するための手段】
【０００７】
本発明者らは、上記の目的を達するべく実験等を重ねて開発を進めたところ、雌雄のコネクタの嵌合部分ひいては雌雄の端子金具の嵌合部分の回りにおいて、必ずしも雌雄両側のシールドシェルにより二重の筒形に形成されていなくても、言い換えると二重筒の四面の全てで接点部を介して接続されていなくても、必要なシールド機能すなわち高周波ノイズの遮蔽機能を果たすことが判明し、さらには、雌雄両シールドシェルの嵌合部分では、両シールドシェルが電気的に接続されている限り、少なくとも一重の筒形に形成されていれば、遜色の無いシールド機能が得られるとの認識に到った。
【０００８】
上記のような知見に基づき、本発明は、互いに嵌合される雌雄のコネクタを備え、各コネクタには、雌端子または雄端子と、各端子金具の回りを覆ってシールドシェルが装着されたシールドコネクタにおいて、前記両コネクタの嵌合に伴って対応する雌雄の端子金具同士が接続された接続部分の回りには、全周に亘って少なくとも一重の筒形部が形成された形態で前記両シールドシェル同士が接続されているところに特徴を有する。  
シールドシェルの形状並びに装着形態の自由度が増し、結果、シールドシェルについての部品点数と組付工数との削減を図ることが可能となり、コスト低減を実現することができる。
【０００９】
また、以下のような構成としてもよい。  
（１）前記両コネクタの嵌合に伴い前記両シールドシェルの対向端部同士が嵌合され、両シールドシェルの対向端部を合わせることにより前記少なくとも一重の筒形部が形成されている。  
両シールドシェルの対向端部同士の嵌合によってシールドを取る部分の構造の自由度を増加できる。
【００１０】
（２）前記雌側のコネクタが、雌ハウジング内にシールド層で覆われた電線の端末に接続された雌端子が収容されたハーネス側コネクタである一方、前記雄側のコネクタが、機器を収容した金属製のケースに取り付けられるケース嵌合部と、相手の雌ハウジングと嵌合されるハウジング嵌合部とを有するＬ字形をなす雄ハウジングを有し、前記ケース嵌合部から前記ハウジング嵌合部に亘りＬ字形に曲成された雄端子が収容された機器側コネクタであり、前記雌ハウジングには、前記雌端子を覆う筒形をなす雌側のシールドシェルが装着されて前記シールド層と接続されている一方、前記雄ハウジングは、前記機器を収容した金属製のケースに取り付けられるケース嵌合部と、相手の雌ハウジングと嵌合されるハウジング嵌合部とを有するＬ字形をなし、前記ケース嵌合部から前記ハウジング嵌合部に亘りＬ字形に曲成された雄端子が収容されているとともに、前記雄ハウジングには、前記ハウジング嵌合部に装着される少なくとも下面開放の第１シェル部と、前記ケース嵌合部の上面から側面を覆う下面開放の第２シェル部とを一体に形成してなる雄側のシールドシェルが装着され、この雄側のシールドシェルにおける前記第１シェル部が前記雌側のシールドシェルと接続されるとともに、前記第２シェル部が前記ケースに固定されている。
【００１１】
機器側コネクタに対してハーネス側コネクタが嵌合されると、対応する雌雄の端子金具同士が接続される一方、機器側コネクタに装着された雄側のシールドシェルの第１シェル部と、ハーネス側コネクタに装着された雌側のシールドシェルとが嵌合接続されて、雌雄の端子金具の接続部の回りが少なくとも一重の筒形のシールドシェルで覆われた形態となり、もってワイヤハーネスからケース内に至る導電路がシールドされる。  
機器側コネクタに装着される雄側のシールドシェルを、第１シェル部と第２シェル部とを一体化した単体形状としたから、部品点数並びに組付工数の削減が図られる。
【発明の効果】
【００１２】
本発明によれば、シールドシェルの装着構造の簡素化を図り、ひいては製造コストの低減を図ることができる。
【図面の簡単な説明】
【００１３】
【図１】本発明の一実施形態に係る雄ハウジングと雄側シェルとの組付前の正面図
【図２】その平面図
【図３】その側面図
【図４】雄ハウジングの底面図
【図５】雄コネクタの側面図
【図６】雌ハウジングの正面図
【図７】雌雄のコネクタの嵌合前の状態の断面図
【図８】その嵌合後の断面図
【発明を実施するための形態】
【００１４】
＜実施形態＞
以下、本発明の一実施形態を図１ないし図８に基づいて説明する。  
この実施形態では、図７に示すように、互いに嵌合される雌雄のコネクタＦ，Ｍを備えており、雌コネクタＦは、ワイヤハーネスの端末に設けられるハーネス側コネクタであり、雄コネクタＭは、機器を収容した金属製のケース１に取り付けられる機器側コネクタである。
【００１５】
雌コネクタＦは、合成樹脂製の雌ハウジング１０を備えている。雌ハウジング１０は、図６及び図７に示すように、横長の略長方形断面をなす端子収容部１１の前半部分の外周にフード部１２が設けられた形状であって、端子収容部１１には、シールド電線の端末に接続された雌端子（図示せず）が収容されるキャビティ１３が、３個横方向に並んで形成されている。各雌端子はランス１４が弾性的に係止することで抜け止めされ、かつフロントリテーナ１５により間接的に二重係止されるようになっている。  
雌ハウジング１０には、倍力嵌合機構を構成するレバー１６が装着されており、同レバー１６には所定形状のカム溝１７が形成されて、軸１６Ａを中心として回動可能となっている。
【００１６】
雌ハウジング１０には、３個並んだキャビティ１３の回りを囲むようにして雌側のシールドシェル２０（以下、雌側シェル２０という）が、インサート成形等によって装着されている。雌側シェル２０は、全体としては横長の略長方形断面をなす筒形で、かつ前端側が拡径された段付き形状となっている。  
より詳細には、雌側シェル２０は、後端側の縮径部２１が端子収容部１１の周壁内に埋設され、但し同縮径部２１のさらに後端部では、内面が露出面となっている。また、前端側の拡径部２２は、フード部１２の奥端から奥行きの略２／３の寸法に亘って手前側に至る領域において、フード部１２の内周面に沿うようにして、言い換えると内面が露出した形態で装着されている。
【００１７】
上記した３本のシールド電線には、図示はしないが、各シールド電線の編組線と接続された形態で同シールド電線を囲むようにして金属製の接続リングが嵌着されており、上記のように雌端子がキャビティ１３に収容されることに伴い、接続リングが雌側シェル２０における縮径部２１の後端部内に嵌合され、左右の側面に設けられた接点部２４を介して電気的に接続されるようになっている。  
一方、雌側シェル２０の拡径部２２内には、詳しくは後記するように、雄コネクタＭに装着された雄側のシールドシェル５０（以下、雄側シェル５０という）の第１シェル部５１が緊密に嵌合され、拡径部２２の左右の側面には、図６に示すように、それぞれ２個ずつの接点部２５が形成されている。
【００１８】
続いて、雄コネクタＭについて説明する。雄コネクタＭは、上記したように機器を収容した金属製のケース１（図５参照）に取り付けられる機器側コネクタであって、同じく合成樹脂製の雄ハウジング３０を備えている。ケース１の上面には一段高くなった取付部２が設定され、同取付部２の上面に円形の取付孔３が開口されている。  
雄ハウジング３０は、図１ないし図４に示すように、ケース１の取付部２の上面の取付孔３に嵌合される下向きのケース嵌合部３１と、上記した雌ハウジング１０と嵌合されるハウジング嵌合部３２とを直交姿勢で設けた側面略Ｌ字形に形成されている。
【００１９】
ハウジング嵌合部３２は、雌ハウジング１０における端子収容部１１とフード部１２との間に嵌合可能な横長の略長方形の筒状に形成されている。ハウジング嵌合部３２の奥壁側には一段下がった接続部３３が形成され、同接続部３３がケース嵌合部３１の上端部である付け根部の前縁と繋がっている。ハウジング嵌合部３２の上下両面には、雌ハウジング１０に装着されたレバー１６のカム溝１７に嵌入可能なフォロワピン３５が突設されている。
【００２０】
ケース嵌合部３１の付け根部には、左右両側に山形をなすように張り出した取付板３６が形成され、ケース嵌合部３１がケース１の取付孔３に嵌合された場合に、取付板３６がケース１の取付部２の上面における取付孔３の口縁部に当接可能となっている。取付板３６における左右の張り出し端部には、取付孔３の左右の口縁部に形成されたボルト孔（図示せず）と整合するボルトの挿通孔３７が形成されており、各挿通孔３７には金属製のカラー３８が嵌着されている。
【００２１】
雄ハウジング３０内には、３本の雄端子４０がインサート成形により装着されている。各雄端子４０は、バスバーを曲げ加工して形成され、図７に示すように、長さ方向の途中位置をクランク状に曲げ形成することで、長さ方向の一端４１と他端４２とが９０°の角度をなして突出した全体としてＬ字状に形成されている。  
このような形状になる３本の雄端子４０は、それぞれの一端４１側が、ハウジング嵌合部３２内において、奥面から雌ハウジング１０のキャビティ１３と同じピッチで横方向に並んで突出し、各一端４１の間は仕切壁４３で仕切られている。また、それぞれの他端４２側が、ケース嵌合部３１の下面から突出した形態で埋設されている。
【００２２】
雄ハウジング３０の上面側には、雄側シェル５０が被着されるようになっている。雄側シェル５０は、第１シェル部５１と第２シェル部５２とを一体的に形成したものである。第１シェル部５１は、ハウジング嵌合部３２から接続部３３に亘る部分の上面から側面さらには後面を覆うような正面視門形状をなし、かつ後端側の上面が一段下がった段差状に形成されている。  
第２シェル部５２は、ケース嵌合部３１の付け根部に形成された取付板３６の上面から前後の周縁部を覆うことができる浅皿を伏せたような形状である。この第２シェル部５２の前縁側の上面と、第１シェル部５１の後面とが連続している。
【００２３】
第１シェル部５１の上面には、雄ハウジング３０のハウジング嵌合部３２の上面に突設されたフォロワピン３５を嵌めて逃がす窓孔５３が開口されている。第２シェル部５２の左右の張り出し端部には、雄ハウジング３０の取付板３６に形成されたボルトの挿通孔３７と整合する挿通孔５４が形成されている。
【００２４】
雄側シェル５０は端的には、雄ハウジング３０に対して上方から被着可能に下面が開放された形状である。雄側シェル５０の雄ハウジング３０に対する取付構造としては、雄側シェル５０の第１シェル部５１における一段下がった部分の左右両側面に掛止爪５５が切り起こしにより形成されている一方、雄ハウジング３０における接続部３３の左右の側面には縦溝４５が形成されて、同縦溝４５の上端に、掛止爪５５が掛止する掛止部４６が形成されている。
【００２５】
続いて、本実施形態の作用を説明する。  
機器側コネクタである雄コネクタＭを組み付ける場合は、図１ないし図３の矢線に示すように、雄側シェル５０を雄ハウジング３０に対して上方から被せる。雄側シェル５０は掛止爪５５を弾性変位させつつ押し込まれ、所定量押し込まれたところで、図５に示すように、掛止爪５５が掛止部４６に掛止することで取り付けられる。  
この状態では、雄側シェル５０の第１シェル部５１が、雄ハウジング３０におけるハウジング嵌合部３２から接続部３３に亘る部分の上面から側面さらには後面を覆って被せられ、また、第２シェル部５２が、ケース嵌合部３１の付け根部に設けられた取付板３６の上面から前後の周縁部を覆って被せられた形態となる。また第２シェル部５２の左右両端部の挿通孔５４が、取付板３６の左右両端部の挿通孔３７（カラー３８）と整合する。
【００２６】
このように雄側シェル５０が装着された雄コネクタＭが、図５に示すように、ケース１の取付部２の上面の所定位置に取り付けられる。詳細には、雄コネクタＭ側の挿通孔５４，３７が、ケース１のボルト孔と整合されつつ、雄ハウジング３０のケース嵌合部３１がケース１の取付部２の取付孔３に嵌合され、そののち左右の挿通孔５４，３７にボルトが通されてボルト孔に対してねじ込まれることにより、雄コネクタＭがケース１の取付部２の上面に取り付けられる。  
このように雄コネクタＭが取り付けられると、雄ハウジング３０におけるハウジング嵌合部３２が、ケース１の取付部２の前面から突出した形態となる。また、シールド構造については、雄側シェル５０がボルト及びカラー３８を介してケース１に対して電気的に接続された状態となる。
【００２７】
一方、ハーネス側コネクタである雌コネクタＦでは、雌ハウジング１０の各キャビティ１３に対して、シールド電線の端末に接続された雌端子が収容され、併せて各シールド電線の編組線と接続された接続リングが雌側シェル２０の縮径部２１内に嵌着されて電気的に接続される。なお、雌ハウジング１０に装着されたレバー１６は、カム溝１７の入口を正面に向けた初期位置にロックされている。
【００２８】
このように組み付けられた雌コネクタＦが、図７の矢線に示すように、ケース１に取り付けられた雄コネクタＭのハウジング嵌合部３２に嵌合される。具体的には、雌コネクタＦがハウジング嵌合部３２に対して所定量嵌合されると、ハウジング嵌合部３２の上下両面に立てられたフォロワピン３５が、レバー１６のカム溝１７の入口に嵌入し、併せてレバー１６のロックが解除される。  
この状態からレバー１６を回動させると、カム溝１７とフォロワピン３５との間の係合によるカム作用を受けつつ、雌コネクタＦが雄コネクタＭのハウジング嵌合部３２内に引き寄せられ、図８に示すように、雌ハウジング１０の端子収容部１１の先端が、ハウジング嵌合部３２の奥面に当たる正規位置まで嵌合されたところで、レバー１６の回動が停止されてロックされる。
【００２９】
雌コネクタＦが雄コネクタＭのハウジング嵌合部３２に正規嵌合されると、ハウジング嵌合部３２内に突出している雄端子４０に対して、雌ハウジング１０に収容された対応する雌端子が正規接続される。それとともに、雄コネクタＭに被着された雄側シェル５０のうちハウジング嵌合部３２に被着された門形をなす第１シェル部５１が、雌コネクタＦに装着された雌側シェル２０の拡径部２２内に緊密に挿入され、同拡径部２２の左右の側面に設けられた接点部２５が、第１シェル部５１の左右の側面に当接されることによって、雌側シェル２０と雄側シェル５０とが電気的に接続された状態となる。これにより、ワイヤハーネスからケース１内に至る導電路がシールドされる。
【００３０】
上記のシールド構造において、特に雄端子４０と雌端子の接続部分の回りでは、雌側シェル２０の拡径部２２は全周に亘る筒形ではあるものの、雄側シェル５０の第１シェル部５１は下面開放の門形であって、両者が嵌合した場合に全周に亘っての二重筒構造とはならず、かつ接点部２５が左右の２側面に設定されているのに過ぎないのであるが、当該シールド構造におけるシールド機能すなわち高周波ノイズの遮蔽機能を調べたところ、従来の全周に亘る二重筒構造でかつ接点部が４面に設定されたものと比較して、遜色のないことが確認された。
【００３１】
以上のように本実施形態によれば、雌コネクタＦと雄コネクタＭの嵌合部分ひいては雄端子４０と雌端子の接続部分の回りにおいて、必ずしも雌雄両側のシールドシェル２０，５０により二重の筒形に形成されていなくても、言い換えると二重筒の四面の全てで接点部を介して接続されていなくても、必要なシールド機能を果たすことができるとの認識のもと、特に機器側コネクタである雄コネクタＭに装着される雄側シェル５０について、ハウジング嵌合部３２に装着される第１シェル部５１を下面開放の門形形状に留められ、そのため同第１シェル部５１と、ケース嵌合部３１側に被着される第２シェル部５２とが一体化された単体形状が実現されている。その結果、部品点数の削減が図れ、また一回の装着作業で済んで組付工数の削減も図れ、製造コストの低減化を実現することができる。
【００３２】
＜他の実施形態＞
本発明は上記記述及び図面によって説明した実施形態に限定されるものではなく、例えば次のような実施形態も本発明の技術的範囲に含まれる。  
（１）ワイヤハーネスのシールド構造としては、端子金具を端末に設けた複数の被覆電線の回りを、１本の管状の編組線で一括して覆う、一括シールド形式としてもよい。  
（２）雌雄の端子金具同士が接続された接続部分の回りで、雌雄のシールドシェルが突き合わされる部分において、両シールドシェルが電気的に接続されている限り、一方のシールドシェルのみで賄う場合も含めて、全周に亘って少なくとも一重の筒形部が形成された形態となっていればよい。  
（３）上記実施形態では、ワイヤハーネスの端末に設けたハーネス側コネクタを機器のケースに配した機器側コネクタに嵌合するいわゆる機器直結型のシールドコネクタを例示したが、本発明は、ハーネス側コネクタ同士を嵌合するワイヤ−ワイヤのシールドコネクタにも同様に適用することができる。
【符号の説明】
【００３３】
Ｆ…雌コネクタ（ハーネス側コネクタ）
Ｍ…雄コネクタ（機器側コネクタ）
１…ケース
２…取付部
３…取付孔
１０…雌ハウジング
２０…雌側シェル（雌側のシールドシェル）
２２…拡径部
２５…接点部
３０…雄ハウジング
３１…ケース嵌合部
３２…ハウジング嵌合部
３６…取付板
４０…雄端子
５０…雄側シェル（雄側のシールドシェル）
５１…第１シェル部
５２…第２シェル部
【図１】
2012238547.tif 000003
【図２】
2012238547.tif 000004
【図３】
2012238547.tif 000005
【図４】
2012238547.tif 000006
【図５】
2012238547.tif 000007
【図６】
2012238547.tif 000008
【図７】
2012238547.tif 000009
【図８】
2012238547.tif 000010